(57)【要約】【課題】本発明は、簡単な構成で、光学系移動ユニットを固定する際の当該光学系移動ユニットの浮き上がりを防止するとともに、浮き上がりに起因する光学系移動ユニット及びその周辺の部品の損傷を回避することができる画像読取装置を提供することを目的とする。【解決手段】第１、第２の光学系移動ユニット４、５を画像読取装置本体１ａに固定する際に、内部筐体７における第１、第２の光学系移動ユニット４、５の固定面２４と当接する折曲部２１、３５が形成されている。そして、折曲部２１、３５のなす角度Ｂが鈍角に設定されている。本構成により、第１、第２の光学系移動ユニット４、５が、角度Ｂを直角に設定した場合であって、角度公差を考慮しない場合の第１、第２の光学系移動ユニット４、５の傾きの基準Ｌよりも角度Ｆだけ下方に傾くことになり、第１、第２の光学系移動ユニット４、５の浮き上がりを防止することが可能になる。【選択図】      図９
2006017950.tif 000002
【特許請求の範囲】
【請求項１】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを前記装置本体に固定する画像読取装置において、
前記光学系移動ユニットには、前記光学系移動ユニットを前記装置本体に固定する際に、前記内部筐体における前記光学系移動ユニットの固定面と当接する折曲部が形成されており、前記折曲部のなす角度が鈍角であることを特徴とする画像読取装置。
【請求項２】
前記折曲部のなす角度は、９０度より大きく９５度以下であることを特徴とする請求項１に記載の画像読取装置。
【請求項３】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを前記装置本体に固定する画像読取装置において、
前記内部筐体における、前記光学系移動ユニットの往復移動方向に平行な面と、前記光学系移動ユニットの固定面のなす角度が鈍角であることを特徴とする画像読取装置。
【請求項４】
前記角度は、９０度より大きく９５度以下であることを特徴とする請求項３に記載の画像読取装置。
【請求項５】
原稿からの反射光を更に反射させるミラーを保持する光学系移動ユニットと、装置本体の外装カバーと、装置本体の内部筐体とを備えるとともに、前記光学系移動ユニットを固定するための固定部材を前記光学系移動ユニット、外装カバー、及び内部筐体の各々に形成された孔に挿通し、前記固定部材を前記光学系移動ユニットに取り付けることにより、前記光学系移動ユニットを前記装置本体に固定する画像読取装置において、
前記外装カバーの表面と、前記内部筐体における前記光学系移動ユニットの固定面との距離が、前記孔の上方から下方にかけて徐々に長くなるように、前記外装カバーに段差が設けられていることを特徴とする画像読取装置。
【発明の詳細な説明】
【技術分野】
【０００１】
本発明は、スキャナとして単体で用いられたり、複写機やファクシミリ等に搭載されたりして、原稿の画像を読み取る画像読取装置に関する。
【背景技術】
【０００２】
一般に、画像読取装置は、原稿に対して光を照射し、その反射光を複数のミラーで反射させながら集光レンズを通してＣＣＤ等の読取デバイスに導き入れ、この読取デバイスで原稿の画像を電気信号として取得する（読み取る）ようになっている。
【０００３】
ここで、この様な画像読取装置においては、装置を輸送する際に画像読取装置内に設けられた光学系移動ユニットが激しく揺さぶられたり、振動したりして変形・破損する恐れがある。
【０００４】
そこで、上記不都合を回避すべく、従来より、上記光学系移動ユニットを装置本体に固定するための構造を有する画像読取装置が提案されている。この画像読取装置においては、光学系移動ユニットの移動方向と平行となるように、外装カバー、及び内部筐体に形成された挿通孔に対して、光学系移動ユニットを固定するための固定部材を装置本体の外部より挿通するとともに、光学系移動ユニットの移動方向と平行となるように光学系移動ユニットに形成されたネジ孔に上記固定部材をねじ込み、当該固定部材の締付力により光学系移動ユニットを装置本体に固定するようになっている（例えば、特許文献１参照）。
【特許文献１】特公平７−１０４５５８公報（第２−３頁、第２−４図）
【発明の開示】
【発明が解決しようとする課題】
【０００５】
しかし、上記従来の画像読取装置においては、挿通孔が形成された外装カバー、及び内部筐体の各側面と、ネジ孔が形成された光学系移動ユニットの側面が平行となるように設計されているものの、角度公差のバラツキ（±３°程度）が存在するため、これらの外装カバー、内部筐体、及び光学系移動ユニットの各側面は、必ずしも平行とはなっていないのが現状である。従って、このような状態で、固定部材を用いて光学系移動ユニットを装置本体に固定してしまうと、当該固定時に、光学系移動ユニットが浮かび上がってしまい、結果として、装置を輸送する際に、光学系移動ユニットが、例えば、コンタクトガラスに接触し、当該コンタクトガラスに損傷が生じてしまう等の不都合が生じていた。
【０００６】
そこで、本発明は、上記の問題に鑑みてなされたものであり、簡単な構成で、光学系移動ユニットを固定する際の当該光学系移動ユニットの浮き上がりを防止するとともに、当該浮き上がりに起因する光学系移動ユニット及びその周辺の部品の損傷を回避することができる画像読取装置を提供することを目的とする。
【課題を解決するための手段】
【０００７】
上記目的を達成するために、本発明の画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを装置本体に固定する画像読取装置であって、光学系移動ユニットには、光学系移動ユニットを装置本体に固定する際に、内部筐体における光学系移動ユニットの固定面と当接する折曲部が形成されており、折曲部のなす角度が鈍角であることを特徴とする。
【０００８】
ここで、本発明の画像読取装置においては、折曲部のなす角度は、９０度より大きく９５度以下であるものとすることができる。
又、本発明の画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを装置本体に固定する画像読取装置であって、内部筐体における、光学系移動ユニットの往復移動方向に平行な面と、光学系移動ユニットの固定面のなす角度が鈍角であることを特徴とする。
【０００９】
ここで、本発明の画像読取装置においては、内部筐体における、光学系移動ユニットの往復移動方向に平行な面と、光学系移動ユニットの固定面のなす角度は、９０度より大きく９５度以下であるものとすることができる。
【００１０】
更に、本発明の画像読取装置は、原稿からの反射光を更に反射させるミラーを保持する光学系移動ユニットと、装置本体の外装カバーと、装置本体の内部筐体とを備えるとともに、光学系移動ユニットを固定するための固定部材を光学系移動ユニット、外装カバー、及び内部筐体の各々に形成された孔に挿通し、固定部材を光学系移動ユニットに取り付けることにより、光学系移動ユニットを装置本体に固定する画像読取装置において、外装カバーの表面と、内部筐体における光学系移動ユニットの固定面との距離が、孔の上方から下方にかけて徐々に長くなるように、外装カバーに段差が設けられているものとすることができる。
【発明の効果】
【００１１】
本発明の画像読取装置によれば、光学系移動ユニットには、光学系移動ユニットを装置本体に固定する際に、内部筐体における前記光学系移動ユニットの固定面と当接する折曲部が形成されており、折曲部のなす角度が鈍角である構成としている。従って、簡単な構成で、光学系移動ユニットを装置本体に固定する際の、光学系移動ユニットの浮き上がりを完全に防止することが可能になるとともに、当該浮き上がりに起因する光学系移動ユニット及びその周辺の部品の損傷を回避することができる。
【００１２】
又、本発明の画像読取装置によれば、内部筐体における、光学系移動ユニットの往復移動方向に平行な面と、光学系移動ユニットの固定面のなす角度が鈍角である構成としている。従って、簡単な構成で、光学系移動ユニットを画像読取装置本体に固定する際の、光学系移動ユニットの浮き上がりを完全に防止することが可能になるとともに、当該浮き上がりに起因する光学系移動ユニット及びその周辺の部品の損傷を回避することができる。
【００１３】
更に、本発明の画像読取装置によれば、外装カバーの表面と、内部筐体における光学系移動ユニットの固定面との距離が、孔の上方から下方にかけて徐々に長くなるように、外装カバーに段差を設ける構成としている。従って、簡単な構成で、光学系移動ユニットを画像読取装置本体に固定する際の、光学系移動ユニットの浮き上がりを完全に防止することが可能になるとともに、当該浮き上がりに起因する光学系移動ユニット及びその周辺の部品の損傷を回避することができる。
【発明を実施するための最良の形態】
【００１４】
以下に、本発明の画像読取装置の実施形態について、図面を参照しながら詳述する。図１は、本発明の第１の実施形態に係る画像読取装置の駆動機構を示す縦断面図であり、図２は、本発明の第１の実施形態に係る画像読取装置の光学上の構成を示す縦断面図である。
【００１５】
図１、及び図２に示すように、画像読取装置１は、例えば、デジタル複写機に設けられ、原稿の画像を読み取るものであり、例えば、金属板や樹脂により成形された外装カバー２から外形が構成され、当該外装カバー２は、左側板２ａ、右側板２ｂを有している。又、外装カバー２の内側には、内部筐体７が設けられており、当該外装カバー２と内部筐体７により、画像読取装置本体１ａが構成されている。又、外装カバー２の上面には、原稿が載置されるコンタクトガラス３が設けられている。又、外装カバー２内（又は、内部筐体７内）には、コンタクトガラス３に平行（即ち、矢印Ｘの方向）に往復移動可能となるように、相互に独立した第１、第２の光学系移動ユニット４、５が支持されている。
【００１６】
ここで先ず、光学上の詳細な構成について説明する。図１、及び図２に示すように、第１の光学系移動ユニット４は、各種部品を保持する第１の光学系支持部材４０を有している。そして、この第１の光学系支持部材４０が、コンタクトガラス３に載置された原稿に光を照射する光源であるランプ４１と、このランプ４１からの光を効率よく原稿に照射させるための反射板４２と、原稿からの反射光（以下、「原稿反射光」と記すことがある）を第２の光学系移動ユニット５に向けて更に反射させる第１のミラー４３とを備えている。他方、第２の光学系移動ユニット５は、各種部品を保持する第２の光学系支持部材５０を有している。そして、この第２の光学系支持部材５０が、第１のミラー４３からの原稿反射光を更に反射させて後述の画像読取ユニット６に導く第２、第３のミラー５１、５２を備えてなる。尚、図２において、原稿反射光の光路を一点鎖線で示す。
【００１７】
また、図２に示す様に、外装カバー２内（又は、内部筐体７内）の中央よりやや右側板２ｂ寄りには、上記した原稿反射光の光路の上流側から順に集光レンズ６０、及び読取デバイスであるＣＣＤ基板６１を有する画像読取ユニット６が配設されている。
【００１８】
この画像読取ユニット６は、集光レンズ６０及びＣＣＤ基板６１を含む各種部品が取り付けられる取付台６３を保持する基台６２を有しており、この基台６２が外装カバー２の底板上にネジ等で固定されている。基台６２の上面には、取付台６３がビス等で固定されており、この取付台６３の上面には、集光レンズ６０が固定された不図示のレンズ固定板と、ＣＣＤ基板６１が固定されたＣＣＤ固定板６４を連結したＣＣＤ連結板６５とが取り付けられている。
【００１９】
但し、これらのレンズ固定板とＣＣＤ連結板６５は、集光レンズ６０で集光された原稿反射光のＣＣＤ基板６１に対する焦点距離が一律になるように、それぞれ原稿反射光の光軸方向に調整が可能になっている。また、原稿反射光の光軸に対するＣＣＤ基板６１の高さ調整用として、ＣＣＤ固定板６４を貫通してＣＣＤ連結板６５に螺合する高さ調整ネジ６６と、この高さ調整ネジ６６を挿通させつつＣＣＤ固定板６４とＣＣＤ連結板６５との間に介装された圧縮コイルバネ６７とが設けられている。そして、高さ調整ネジ６６のねじ込み度合いにより、ＣＣＤ固定板６４が圧縮コイルバネ６７の弾発力を受けながらＣＣＤ連結板６５に対して上下移動することで、結果としてＣＣＤ基板６１の高さが調整されるようになっている。尚、ＣＣＤ固定板６４には、ＣＣＤ基板６１を取り囲むＣＣＤカバー６８がガスケット６９を介して固定されている。
【００２０】
次に、第１、第２の光学系移動ユニット４、５の往復移動を駆動するための詳細な構成について説明する。第１、第２の光学系移動ユニット４、５は、原稿全域に亘って走査すべく往復移動せられるわけであるが、その際、第１の光学系移動ユニット４は、第２の光学系移動ユニット５に対して常時２倍の速度で往復移動するようになっており、これにより原稿反射光のＣＣＤ基板６１に対する焦点距離、すなわち原稿反射光の光路長が常に一定にされている。このような往復移動は、以下に示す構成で達成できる。
【００２１】
図１、図２に示すように、画像読取ユニット６の後方（右側板２ｂ寄り）には、回転可能に支持された回転軸８が配設されている。この回転軸８の近傍には、第１、第２の光学系移動ユニット４、５の往復移動を司るワイヤ９が巻き付けられたドラム８０が、同軸状で一体的に固定されている。
【００２２】
更に、回転軸８の一端部には、ジョイントプーリ８１が連結されており、このジョイントプーリ８１に張架されたベルト１１によって駆動モータ等の駆動源から駆動が伝達される。即ち、外装カバー２の後側（図１では紙面の奥側）の外方には、回転軸８の回転の駆動源となる駆動モータ１０が配設されるとともに、この駆動モータ１０の出力軸には、回転軸８に連結されたジョイントプーリ８１との間で、ベルト１１が張架されており、このベルト１１によって駆動モータ１０の回転出力が回転軸８に伝達される。なお、ジョイントプーリ８１、及びベルト１１に代えて、歯車で駆動力伝達媒体を構成する場合もある。
【００２３】
また、外装カバー２内の左方側から順に、内部筐体７の左側板７ａに突設された第１の掛け具１２、外装カバー２の前後両側板（不図示）に軸支された第１のプーリ１３、第２の光学系支持部材５０に軸支された第２のプーリ１４、画像読取ユニット６の基台６２に突設された第２の掛け具１５、及び右側板２ｂに突設されて軸支された第３のプーリ１６が設けられている。更に、第１、第２の光学系移動ユニット４、５各々の往復移動をガイドするガイドレール１７が、コンタクトガラス３と平行に延在するよう設けられている。
【００２４】
そして、実際に第１、第２の光学系移動ユニット４、５の往復移動を司るワイヤ９は、図１に示すように、第１の掛け具１２に一端が固定され、一旦第２のプーリ１４に掛けられた後、第１のプーリ１３に掛けられる。そして、更に回転軸８のドラム８０に複数回巻き付けられた後、第３のプーリ１６に掛けられて戻り、次いで、第１の光学系支持部材４０が固着され、再び第２のプーリ１４に掛けられて、第２の掛け具１５に他端が固定され、張設されてなる。
【００２５】
この様な構成のもと、駆動モータ１０の出力軸が正回転又は逆回転することにより、回転軸８とともにドラム８０が正回転又は逆回転し、これに伴ってワイヤ９が移動せしめられ、第１、第２の光学系移動ユニット４、５が、所定の速度比を維持しながら往復移動する。これにより、原稿全域に亘って、第１、第２の光学系移動ユニット４、５が原稿面と平行に往復移動し、原稿の画像が読み取られる構成となっている。
【００２６】
尚、上記した画像読取装置１は、実際に走査する光学系移動ユニットとは別体に、読取デバイスであるＣＣＤ基板６１（集光レンズ６０も含む）が外装カバー２に固定された、いわゆる別体型のものであるが、ＣＣＤ基板６１が光学系移動ユニットに固定されてこれと一体的に走査する、いわゆる一体型のものもある。
【００２７】
次に、本発明の実施形態に係る画像読取装置における光学系移動ユニットの固定について、図面を参照しながら詳述する。図３は、本発明の第１の実施形態に係る画像読取装置の固定機構を示す縦断面図であり、図４は、本発明の第１の実施形態に係る画像読取装置の光学系移動ユニットを装置本体に固定した状態を示す縦断面図である。
【００２８】
本実施形態においては、第１、第２の光学系移動ユニット４、５を固定する際の固定部材として止めネジ１８、１９を用い、第１、第２の光学系移動ユニット４、５を固定する際に、当該止めネジ１８、１９を第１、第２の光学系移動ユニット４、５の往復移動方向（図中のＸ方向）に平行な方向から取り付ける構成となっている。以下に、当該取り付け機構について説明する。
【００２９】
図３に示す様に、外装カバー２の左側板２ａには、挿通孔３０、３１が形成されており、内部筐体７の左側板７ａには、挿通孔３２、３３が形成されている。又、止めネジ１８、１９は、各々ネジ部１８ａ、１９ａを有している。
【００３０】
又、第１の光学系支持部材４０には、当該第１の光学系移動ユニット４を画像読取装置本体１ａに固定する際に、内部筐体７における第１の光学系移動ユニット４の固定面２４と当接する折曲部２１が形成されており、当該折曲部２１には、挿通孔３２に対応する位置にネジ孔２２が形成されている。又、同様に、第２の光学系支持部材５０には、当該第２の光学系移動ユニット５を画像読取装置本体１ａに固定する際に、内部筐体７における第２の光学系移動ユニット５の固定面２４と当接する折曲部３５が形成されており、当該折曲部３５には、挿通孔３３に対応する位置にネジ孔３６が形成されている。
【００３１】
そして、第１、第２の光学系移動ユニット４、５を固定する際には、まず、外装カバー２の外部から、止めネジ１８を挿通孔３０、３２に挿通するとともに、止めネジ１９を挿通孔３１、３３に挿通する。次いで、第１の光学系支持部材４０に形成されたネジ孔２２にネジ部１８ａを螺合させることにより、止めネジ１８をネジ孔２２に挿通させ、第１の光学系支持部材４０を内部筐体７に対して取り付けることにより、第１の光学系移動ユニット４を画像読取装置本体１ａに固定する。又、同様に、第２の光学系支持部材５０に形成されたネジ孔３６にネジ部１９ａを螺合させることにより、止めネジ１９をネジ孔３６に挿通させ、第２の光学系支持部材５０を内部筐体７に対して取り付けることにより、第２の光学系移動ユニット５を画像読取装置本体１ａに固定する構成となっている。第１、第２の光学系移動ユニット４、５を画像読取装置本体１ａに固定した状態を図４に示す。
【００３２】
又、本実施形態においては、図３に示す様に、外装カバー２の裏面（即ち、左側板２ａの裏面２ｃ）に、挿通孔３０、３１を各々シールするための弾性シール部材７０、７１を設ける構成としている。この弾性シール部材７０、７１は、例えば、樹脂やゴム等により形成されており、図３に示す様に、一端部７０ａ、７１ａが、各々、上述の外装カバー２の裏面に貼り付けられている。
【００３３】
そして、止めネジ１８、１９を取り付けて、第１、第２の光学系移動ユニット４、５を固定した状態においては、上述のごとく、弾性シール部材７０、７１の一端側７０ａ、７１ａのみが、各々、左側板２ａの裏面２ｃに貼り付けられる構成としている。従って、図４に示す様に、止めネジ１８、１９を、各々、外装カバー２に形成された挿通孔３０、３１に挿通する際に、弾性シール部材７０、７１は、止めネジ１８、１９に押されて撓み、止めネジ１８、１９が、各々、外装カバー２に形成された挿通孔３０、３１に挿通されることを許容する位置に上記弾性シール部材７０、７１がくる構成となっている。
【００３４】
従って、この構成によれば、止めネジ１８、１９を取り外して第１、第２の光学系移動ユニット４、５の固定状態を解除し、画像読取装置１を使用する場合において、弾性シール部材７０、７１が挿通孔３０、３１を各々シールしているため、ゴミや埃等が内部筐体７内に入るのを防止することができる。従って、第１、第２の光学系移動ユニット４、５が備える第１、第２、及び第３ミラー４３，５１、５２に対する当該ゴミや埃等の付着を防止することが可能になるため、結果として、画像の劣化を防止することができるようになる。
【００３５】
本実施形態においては、以上の構成により、第１、第２の光学系移動ユニット４、５を画像読取装置本体１ａに固定するとともに、輸送時における第１、第２の光学系移動ユニット４、５の移動を規制するようになっている。
【００３６】
しかしながら、外装カバー２の左側板２ａにおける止めネジ１８、１９の取付面（即ち、外装カバー２の表面）２ｄ、及び、内部筐体７における第１、第２の光学系移動ユニット４、５の固定面２４においては、上述の角度公差のバラツキが存在するため、これらの取付面２ｄと固定面２４は必ずしも平行とはなっていない。従って、上記構成のままでは、画像読取装置本体１ａに固定する際の第１、第２の光学系移動ユニット４、５の浮き上がりを完全に防止することは困難であると言える。
【００３７】
そこで、本実施形態においては、第１、第２の光学系移動ユニット４、５の折曲部２１、３５の折り曲げ角度を所定の範囲に設定した点に特徴がある。以下に図面を参照して、本特徴について詳細に説明する。
【００３８】
図５は、光学系移動ユニットの折曲部の角度を説明するための部分拡大図であり、図６は、光学系移動ユニットの折曲部の角度が鋭角である状態を説明するための部分拡大図であり、図７は、光学系移動ユニットの折曲部の角度が鋭角である場合の光学系移動ユニットの固定状態を示す縦断面図である。又、図８は、本発明の第１の実施形態に係る画像読取装置における光学系移動ユニットの折曲部の角度を説明するための部分拡大図であり、図９は、本発明の第１の実施形態に係る画像読取装置における光学系移動ユニットの折曲部の角度が鈍角である場合の光学系移動ユニットの固定状態を示す縦断面図である。尚、図５、図６、及び図８においては、説明の便宜上、第１の光学系移動ユニット４の折曲部２１のみを図示しており、第２の光学系移動ユニット５の折曲部３５は図示していない。
【００３９】
図５において、外装カバー２の左側板２ａにおける止めネジ１８、１９の取付面２ｄと内部筐体７における第１、第２の光学系移動ユニット４、５の固定面２４は平行になっている。    
【００４０】
より具体的には、挿通孔３０、３２、及びネジ孔２２の上方における外装カバー２の表面２ｄと内部筐体７における第１、第２の光学系移動ユニット４、５の固定面２４との距離Ｃが、挿通孔３０、３２、及びネジ孔２２の下方における外装カバー２の表面２ｄと内部筐体７における第１、第２の光学系移動ユニット４、５の固定面２４との距離Ｄと等しくなる様に（即ち、表面２ｄと固定面２４との距離Ｃ、Ｄが、挿通孔３０、３２、及びネジ孔２２の上方から下方にかけて等しくなる様に）構成されている。
【００４１】
又、同様に、挿通孔３１、３３、及びネジ孔３６の上方における外装カバー２の表面２ｄと内部筐体７における第１、第２の光学系移動ユニット４、５の固定面２４との距離Ｃ'が、挿通孔３１、３３、及びネジ孔３６の下方における外装カバー２の表面２ｄと内部筐体７における第１、第２の光学系移動ユニット４、５の固定面２４との距離Ｄ'と等しくなる様に（即ち、表面２ｄと固定面２４との距離Ｃ'、Ｄ'が、挿通孔３１、３３、及びネジ孔３６の上方から下方にかけて等しくなる様に）構成されている（図４参照）。
【００４２】
又、図５において、内部筐体７の折曲部２３のなす角度（即ち、内部筐体７における、第１、第２の光学系移動ユニット４、５の往復移動方向Ｘと平行な面７ｂと、固定面２４のなす角度）Ａは、直角に設定されている。
【００４３】
以上の構成の下、図４、図５に示す、第１の光学系移動ユニット４の折曲部２１、及び第２の光学系移動ユニット５の折曲部３５の各々がなす角度（即ち、第１の光学系移動ユニット４においては、第１の光学系支持部材４０の側面部２１ａと底面部２１ｂのなす角度、第２の光学系移動ユニット５においては、第２の光学系支持部材５０の側面部３５ａと底面部３５ｂのなす角度）Ｂについて検討する。
【００４４】
まず、図５に示す様に、当該角度Ｂを直角に設定した場合を考える。この場合、上述の角度公差にバラツキが生じていない場合は、第１、第２の光学系移動ユニット４、５を画像読取装置本体１ａに対して固定しても、第１、第２の光学系移動ユニット４、５の浮き上がりは生じない。しかし、角度公差にバラツキが生じている場合は、第１、第２の光学系移動ユニット４、５を画像読取装置本体１ａに対して固定すると、当該第１、第２の光学系移動ユニット４、５が浮かび上がる場合がある。
【００４５】
又、図６に示す様に、上記角度Ｂを鋭角（即ち、Ｂ＜９０°）に設定すると、角度公差にバラツキが生じていない場合であっても、第１、第２の光学系移動ユニット４、５の固定時に、当該角度Ｂを直角にした場合に比し、当該第１、第２の光学系移動ユニット４、５が更に浮かび上がってしまう。即ち、図７に示す様に、外装カバー２の表面２ｄと内部筐体７における固定面２４が平行であり、かつ、角度Ａを直角に設定した場合であって、角度公差にバラツキが生じていない場合の第１、第２の光学系移動ユニット４、５の傾きの基準をＬとすると、第１、第２の光学系移動ユニット４、５が当該基準Ｌよりも角度Ｅだけ上方に傾くことになり、結果として、第１、第２の光学系移動ユニット４、５が浮き上がることになる。
【００４６】
そこで、本実施形態においては、図８に示す様に、上記角度Ｂを鈍角（即ち、Ｂ＞９０°）に設定した点に特徴がある。
この場合、図９に示す様に、上述の角度公差にバラツキが生じていない場合は、第１、第２の光学系移動ユニット４、５が上述の基準Ｌよりも角度Ｆだけ下方に傾くことになり、第１、第２の光学系移動ユニット４、５の浮き上がりを完全に防止することが可能になる。
【００４７】
又、仮に角度公差にバラツキが生じる場合であっても、当該角度公差によるバラツキを予め考慮して、上記角度Ｂを所定の鈍角に設定しておくことにより、第１、第２の光学系移動ユニット４、５が浮き上がりを防止することが可能になる。例えば、上述のごとく、角度公差によるバラツキは±３度程度であるため、角度Ｂを９３度に設定しておけば、当該角度公差のバラツキによる影響を回避でき、第１、第２の光学系移動ユニット４、５が浮き上がりを防止することが可能になる。
【００４８】
尚、本実施形態においては、当該角度Ｂを、９０度より大きく９５度以下に設定するのが好ましく、上述の角度公差を考慮すると、９３度に設定するのが特に好ましいと言える。
【００４９】
以上に説明した様に、本実施形態においては、第１、第２の光学系移動ユニット４、５に、当該第１、第２の光学系移動ユニット４、５を画像読取装置本体１ａに固定する際に、内部筐体７における第１、第２の光学系移動ユニット４、５の固定面２４と当接する折曲部２１、３５を形成するとともに、折曲部２１、３５のなす角度を鈍角に設定する構成としている。従って、簡単な構成で、第１、第２の光学系移動ユニット４、５を画像読取装置本体１ａに固定する際の、第１、第２の光学系移動ユニット４、５の浮き上がりを完全に防止することが可能になるとともに、当該浮き上がりに起因する第１、第２の光学系移動ユニット４、５及びその周辺の部品の損傷を回避することが可能になる。
【００５０】
次に、本発明の第２の実施形態について説明する。図１０は、内部筐体の折曲部のなす角度が鋭角である場合の光学系移動ユニットの固定状態を示す縦断面図であり、図１１は、本発明の第２の実施形態に係る画像読取装置における内部筐体の折曲部のなす角度が鈍角である場合の光学系移動ユニットの固定状態を示す部分拡大図である。又、図１２は、本発明の第２の実施形態に係る画像読取装置における内部筐体の折曲部のなす角度が鈍角である場合の光学系移動ユニットの固定状態を示す縦断面図である。尚、本実施形態においては、上記第１の実施形態と同様の構成部分については同一の符号を付してその説明を省略する。又、画像読取装置の全体構成についても、上述の第１の実施形態と同様であるため、ここでは詳しい説明を省略する。
【００５１】
本実施形態においては、上述の第１、第２の光学系移動ユニット４、５の折曲部２１、３５のなす角度Ｂを直角に設定している（図５参照）。
以上の構成の下、図５において説明した、内部筐体７の折曲部２３のなす角度Ａについて検討する。
【００５２】
まず、当該角度Ａを直角に設定した場合を考える。この場合は、上述の図５において説明した場合と同様に、外装カバー２の取付面２ｄと内部筐体７における固定面２４が平行であって、角度公差にバラツキが生じていない場合は、第１、第２の光学系移動ユニット４、５を装置本体１ａに対して固定しても、第１、第２の光学系移動ユニット４、５の浮き上がりは生じないことになる。しかし、角度公差にバラツキが生じている場合は、第１、第２の光学系移動ユニット４、５を装置本体１ａに対して固定すると、当該第１、第２の光学系移動ユニット４、５が浮かび上がる場合がある。
【００５３】
又、図１０に示す様に、上記角度Ａを鋭角（即ち、Ａ＜９０°）に設定すると、角度公差にバラツキが生じていない場合であっても、第１、第２の光学系移動ユニット４、５の固定時に、当該角度Ａを直角に設定した場合に比し、当該第１、第２の光学系移動ユニット４、５が更に浮かび上がってしまう。
【００５４】
即ち、上述の距離Ｃが距離Ｄよりも短くなり、上向きに斜行した内部筐体７の固定面２４に、第１の光学系移動ユニット４が固定されることになる。又、同様に、上述の距離Ｃ'が距離Ｄ'よりも短くなり、上向きに斜行した内部筐体７の固定面２４に、第２の光学系移動ユニット５が固定されることになる。
【００５５】
従って、図１０に示す様に、外装カバー２の表面２ｄと内部筐体７における固定面２４が平行であり、かつ、角度Ｂを直角に設定した場合であって、角度公差にバラツキが生じていない場合の第１、第２の光学系移動ユニット４、５の傾きの基準をＭとすると、第１、第２の光学系移動ユニット４、５が当該基準Ｍよりも角度Ｇだけ上方に傾くことになり、結果として、第１、第２の光学系移動ユニット４、５が浮き上がることになる。
【００５６】
そこで、本実施形態においては、図１１に示す様に、上記角度Ａを鈍角（即ち、Ｂ＞９０°）に設定した点に特徴がある。
この場合、上述の距離Ｃは、距離Ｄよりも長くなり、又、上述の距離Ｃ'は距離Ｄ'よりも長くなるため、下向きに斜行した内部筐体７の固定面２４に、第１、第２の光学系移動ユニット４、５が固定されることになる。
【００５７】
従って、図１２に示す様に、上述の角度公差にバラツキが生じていない場合は、第１、第２の光学系移動ユニット４、５が上述の基準Ｍよりも角度Ｈだけ下方に傾くことになり、第１、第２の光学系移動ユニット４、５の浮き上がりを完全に防止することが可能になる。
【００５８】
又、仮に角度公差にバラツキが生じる場合であっても、当該角度公差によるバラツキを予め考慮して、上記角度Ａを所定の鈍角に設定しておくことにより、第１、第２の光学系移動ユニット４、５が浮き上がりを防止することが可能になる。例えば、上述のごとく、角度公差によるバラツキは±３度程度であるため、角度Ａを９３度に設定しておけば、当該角度公差のバラツキによる影響を回避でき、第１、第２の光学系移動ユニット４、５が浮き上がりを防止することが可能になる。
【００５９】
尚、本実施形態においては、第１の実施形態における角度Ｂと同様に、角度Ａを、９０度より大きく９５度以下に設定するのが好ましく、上述の角度公差を考慮すると、９３度に設定するのが特に好ましいと言える。
【００６０】
以上に説明した様に、本実施形態においては、内部筐体７における、第１、第２の光学系移動ユニット４、５の往復移動方向Ｘに平行な面７ｂと、第１、第２の光学系移動ユニット４、５の固定面２４のなす角度Ａを鈍角に設定する構成としている。従って、簡単な構成で、第１、第２の光学系移動ユニット４、５を画像読取装置本体１ａに固定する際の、第１、第２の光学系移動ユニット４、５の浮き上がりを完全に防止することが可能になるとともに、当該浮き上がりに起因する第１、第２の光学系移動ユニット４、５及びその周辺の部品の損傷を回避することが可能になる。
【００６１】
次に、本発明の第３の実施形態について説明する。図１３は、外装カバーに上向きの段差を設けた場合の光学系移動ユニットの固定状態を示す縦断面図であり、図１４は、本発明の第３の実施形態に係る画像読取装置における外装カバーに下向きの段差を設けた場合の光学系移動ユニットの固定状態を示す部分拡大図である。又、図１５は、本発明の第３の実施形態に係る画像読取装置における外装カバーに下向きの段差を設けた場合の光学系移動ユニットの固定状態を示す縦断面図である。尚、本実施形態においても、上記実施形態と同様の構成部分については同一の符号を付してその説明を省略する。又、画像読取装置の全体構成についても、上述の実施形態と同様であるため、ここでは詳しい説明を省略する。
【００６２】
本実施形態においては、内部筐体７の折曲部２３のなす角度Ａ、及び、第１、第２の光学系移動ユニット４、５の折曲部２１、３５のなす角度Ｂを直角に設定している（図５参照）。
【００６３】
以上の構成の下、本実施形態においては、上述の距離ＣとＤの関係、及び距離Ｃ'と距離Ｄ'の関係について検討する。
まず、距離Ｃと距離Ｄが等しく、かつ、距離Ｃ'と距離Ｄ'が等しい場合を考える。この場合は、上述の図５において説明した場合と同様に、外装カバー２の取付面２ｄと内部筐体７における固定面２４が平行となる。従って、角度公差にバラツキが生じていない場合は、第１、第２の光学系移動ユニット４、５を装置本体１ａに対して固定しても、第１、第２の光学系移動ユニット４、５の浮き上がりは生じないことになる。しかし、角度公差にバラツキが生じている場合は、第１、第２の光学系移動ユニット４、５を装置本体１ａに対して固定すると、当該第１、第２の光学系移動ユニット４、５が浮かび上がる場合がある。
【００６４】
次に、図１３に示す様に、外装カバーの表面２ｄと、内部筐体７における第１、第２の光学系移動ユニット４、５の固定面２４との距離が、孔の上方から下方にかけて徐々に短くなるように、外装カバー２に段差９０、９１を設ける場合を考える。より具体的には、外装カバー２には、上述の距離Ｃが距離Ｄよりも長くなるように、外装カバー２における止めネジ１８の取付面２ｄに上向きの段差９０が設けられている。又、同様に、外装カバー２には、上述の距離Ｃ'が距離Ｄ'よりも長くなるように、外装カバー２における止めネジ１９の取付面２ｄに上向きの段差９１が設けられている。
【００６５】
この場合、図１３に示す様に、段差９０、９１により、取付面２ｄが上向きに傾斜しているため、止めネジ１８、１９は、当該取付面２ｄの傾斜に沿って上向きに取り付けられることになり、当該止めネジ１８、１９により、第１、第２の光学系移動ユニット４、５が固定されることになる。
【００６６】
従って、角度公差にバラツキが生じていない場合であっても、第１、第２の光学系移動ユニット４、５の固定時に、外装カバー２における止めネジ１８、１９の取付面２ｄに段差を設けない場合に比し、当該第１、第２の光学系移動ユニット４、５が更に浮かび上がってしまうことになる。
【００６７】
より具体的には、角度Ａ、Ｂを直角に設定し、かつ、外装カバー２の表面２ｄと内部筐体７における固定面２４が平行であって、角度公差にバラツキが生じていない場合の第１、第２の光学系移動ユニット４、５の傾きの基準をＮとすると、第１、第２の光学系移動ユニット４、５が当該基準Ｎよりも角度Ｉだけ上方に傾くことになり、結果として、第１、第２の光学系移動ユニット４、５が浮き上がることになる。
【００６８】
そこで、本実施形態においては、図１４に示す様に、外装カバーの表面２ｄと、内部筐体７における第１、第２の光学系移動ユニット４、５の固定面２４との距離が、孔の上方から下方にかけて徐々に長くなるように、外装カバーに段差９０、９１を設けた点に特徴がある。
【００６９】
即ち、本実施形態においては、上述の距離Ｃが距離Ｄよりも短くなるように、外装カバー２における止めネジ１８の取付面２ｄに下向きの段差９２が設けられている。又、同様に、上述の距離Ｃ'が距離Ｄ'よりも短くなるように、外装カバー２における止めネジ１９の取付面２ｄに下向きの段差９３が設けられている。
【００７０】
この場合、図１５に示す様に、段差９２、９３により、取付面２ｄが下向きに傾斜しているため、止めネジ１８、１９は、当該取付面２ｄの傾斜に沿って下向きに取り付けられることになり、当該止めネジ１８、１９により、第１、第２の光学系移動ユニット４、５が固定されることになる。
【００７１】
従って、図１５に示す様に、上述の角度公差にバラツキが生じていない場合は、第１、第２の光学系移動ユニット４、５が上述の基準Ｎよりも角度Ｊだけ下方に傾くことになり、第１、第２の光学系移動ユニット４、５の浮き上がりを完全に防止することが可能になる。
【００７２】
又、仮に角度公差にバラツキが生じる場合であっても、当該角度公差によるバラツキを予め考慮して、上記段差９２、９３を形成しておくことにより、第１、第２の光学系移動ユニット４、５の浮き上がりを防止することが可能になる。
【００７３】
以上に説明した様に、本実施形態においては、外装カバーの表面２ｄと、内部筐体７における第１、第２の光学系移動ユニット４、５の固定面２４との距離が、孔の上方から下方にかけて徐々に長くなるように、外装カバーに段差９２、９３を設ける構成としている。従って、簡単な構成で、第１、第２の光学系移動ユニット４、５を画像読取装置本体１ａに固定する際の、第１、第２の光学系移動ユニット４、５の浮き上がりを完全に防止することが可能になるとともに、当該浮き上がりに起因する第１、第２の光学系移動ユニット４、５及びその周辺の部品の損傷を回避することが可能になる。
【００７４】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００７５】
例えば、上述の各実施形態の内容を、適宜、組み合わせることにより、光学系移動ユニットを画像読取装置本体に固定する際の、光学系移動ユニットの浮き上がりを防止する構成としても良い。例えば、上述の折曲部２１、３５のなす角度Ｂを鈍角にするとともに、折曲部２３のなす角度Ａを鈍角にする構成とすることができる。
【００７６】
又、上記実施形態においては、第１、第２の光学系支持部材４０、５０に形成されたネジ孔２２、３６に止めネジ１８、１９を挿通させる構成としたが、上記止めネジ１８、１９の代わりに係止ピンを用いるとともに、上記ネジ孔２２、３６の代わりに係止穴を形成し、当該係止穴に係止ピンを係脱させることにより、第１、第２の光学系支持部材４０、５０を内部筐体７に対して取り付け、画像読取装置本体１ａに対する固定、及び固定解除を行う構成としても良い。
【００７７】
又、上記止めネジ１８、１９にスリワリ（不図示）を形成し、ドライバー等の回転用工具を用いて、これらの止めネジ１８、１９を回動する構成としても良いし、回転用工具を用いることなく、手で回動可能な構成としても良い。
【００７８】
更に、上記実施形態においては、画像読取装置として、デジタル複写機に設けられるものを用いて説明したが、本発明は、スキャナやファクシミリ装置に設けられる画像読取装置においても適用可能であることは言うまでもない。
【産業上の利用可能性】
【００７９】
本発明の活用例としては、スキャナとして単体で用いられたり、複写機やファクシミリ等に搭載されたりして、原稿の画像を読み取る画像読取装置が挙げられる。
【図面の簡単な説明】
【００８０】
【図１】本発明の第１の実施形態に係る画像読取装置の駆動機構を示す縦断面図である。
【図２】本発明の第１の実施形態に係る画像読取装置の光学上の構成を示す縦断面図である。
【図３】本発明の第１の実施形態に係る画像読取装置の固定機構を示す縦断面図である。
【図４】本発明の第１の実施形態に係る画像読取装置の固定機構を示す縦断面図である。
【図５】光学系移動ユニットの折曲部の角度を説明するための部分拡大図である。
【図６】光学系移動ユニットの折曲部の角度が鋭角である状態を説明するための部分拡大図である。
【図７】光学系移動ユニットの折曲部の角度が鋭角である場合の光学系移動ユニットの固定状態を示す縦断面図である。
【図８】本発明の第１の実施形態に係る画像読取装置における光学系移動ユニットの折曲部の角度を説明するための部分拡大図である。
【図９】本発明の第１の実施形態に係る画像読取装置における光学系移動ユニットの折曲部の角度が鈍角である場合の光学系移動ユニットの固定状態を示す縦断面図である。
【図１０】内部筐体の折曲部のなす角度が鋭角である場合の光学系移動ユニットの固定状態を示す縦断面図である。
【図１１】本発明の第２の実施形態に係る画像読取装置における内部筐体の折曲部のなす角度が鈍角である場合の光学系移動ユニットの固定状態を示す部分拡大図である。
【図１２】本発明の第２の実施形態に係る画像読取装置における内部筐体の折曲部のなす角度が鈍角である場合の光学系移動ユニットの固定状態を示す縦断面図である。
【図１３】外装カバーに上向きの段差を設けた場合の光学系移動ユニットの固定状態を示す縦断面図である。
【図１４】本発明の第３の実施形態に係る画像読取装置における外装カバーに下向きの段差を設けた場合の光学系移動ユニットの固定状態を示す部分拡大図である。
【図１５】本発明の第３の実施形態に係る画像読取装置における外装カバーに下向きの段差を設けた場合の光学系移動ユニットの固定状態を示す縦断面図である。
【符号の説明】
【００８１】
１    画像読取装置
１ａ    画像読取装置本体
２    外装カバー
２ａ    左側板
２ｄ    外装カバーの表面
３    コンタクトガラス
４    第１の光学系移動ユニット
５    第２の光学系移動ユニット
６    画像読取ユニット
７    内部筐体
７ａ    左側板
７ｂ    往復移動方向と平行な面
８    回転軸                    
９    ワイヤ                    
１０    駆動モータ                
１１    ベルト                    
１２    第１の掛け具              
１３    第１のプーリ              
１４    第２のプーリ              
１５    第２の掛け具              
１６    第３のプーリ              
１７    ガイドレール
１８、１９    止めネジ
２１    第１の光学系移動ユニットの折曲部
２２    ネジ孔                    
２３    内部筐体の折曲部                    
２４    固定面    
３０、３１      挿通孔
３２、３３      挿通孔
３５    第２の光学系移動ユニットの折曲部                    
３６    ネジ孔
４０    第１の光学系支持部材      
４１    ランプ                    
４２    反射板                    
４３    第１のミラー              
５０    第２の光学系支持部材                    
５１    第２のミラー              
５２    第３のミラー                              
６０    集光レンズ                
６１    ＣＣＤ基板                
６２    基台                      
６３    取付台                    
６４    ＣＣＤ固定板              
６５    ＣＣＤ連結板              
６６    高さ調整ネジ              
６７    圧縮コイルバネ            
６８    ＣＣＤカバー              
６９    ガスケット            
７０、７１    弾性シール部材                
８０    ドラム                    
８１    ジョイントプーリ          
９０〜９３    段差                      
Ａ    内部筐体の折曲部の角度                      
Ｂ    光学系移動ユニットの折曲部の角度  
Ｃ、Ｄ    外装カバーの表面と内部筐体における固定面との距離
Ｅ〜Ｊ    基準と光学系移動ユニットのなす角度
Ｌ〜Ｎ    基準                                    
Ｘ    往復移動方向  
【図１】
2006017950.tif 000003
【図２】
2006017950.tif 000004
【図３】
2006017950.tif 000005
【図４】
2006017950.tif 000006
【図５】
2006017950.tif 000007
【図６】
2006017950.tif 000008
【図７】
2006017950.tif 000009
【図８】
2006017950.tif 000010
【図９】
2006017950.tif 000011
【図１０】
2006017950.tif 000012
【図１１】
2006017950.tif 000013
【図１２】
2006017950.tif 000014
【図１３】
2006017950.tif 000015
【図１４】
2006017950.tif 000016
【図１５】
2006017950.tif 000017